(57)【特許請求の範囲】
【請求項１】
筆記具２のペン先部１８と、そのペン先部１８の近傍に設けた空気置換孔１４とを覆ってシールする有底のシール筒部２０を有するとともに、そのシール筒部２０の開口端外周部にフランジ２１を有して、全体が柔軟性且つ弾性を有する素材で形成され、そのフランジ２１がキャップ本体１６に当接され、又、フランジ２１におけるキャップ本体１６との当接箇所よりも径方向の中心側寄りの位置に筆記具軸３との当接部２６が設定されて、筆記具軸３によりその当接部２６が押されたときに、そのシール筒部２０が弾性変形によって筆記具軸３の押す方向へ移動可能なインナーキャップ１７をキャップ本体１６の内部に具えたことを特徴とする筆記具のキャップ。
【請求項２】
インナーキャップ１７のフランジ２１とキャップ本体１６との当接箇所に、インナーキャップ１７が筆記具軸３によって押されたときに圧縮する弾性突起２２，２８を設けた請求項１記載の筆記具のキャップ。
【請求項３】
弾性突起２８を環状に形成した請求項２記載の筆記具のキャップ。
【請求項４】
キャップ本体１６に対する掛止用鍔部３０をインナーキャップ１７におけるシール筒部２０の外周部に突設した請求項１、２又は３記載の筆記具のキャップ。
【発明の詳細な説明】
【０００１】
【発明の属する技術分野】
本発明はインナーキャップを具えた筆記具のキャップに関する。
【０００２】
【従来の技術】
軸の内部にインキを直に貯溜するインキタンクを設けるともに、そのインキタンク内のインキが温度上昇による膨張等の原因で過剰に押し出されたときに、その過剰なインキがペン先部等から吹き出さないように一時的に吸収するインキ保溜体を具えた筆記具が公知である。そして、このような筆記具に着脱自在なキャップとして、ペン先部及びペン先部近傍の筆記具軸に設けた空気置換孔をシール可能なインナーキャップを具えたものが公知である。
【０００３】
このようなインナーキャップを具えたキャップは、インナーキャップが筆記具先端部を確実にシールするために、筆記具先端部がインナーキャップに挿入してから筆記具軸をキャップ本体に対し係止させる必要がある。したがって、筆記具先端部がインナーキャップに挿入してシール状態になった後に、更に筆記具先端部がインナーキャップ内に押し入れられる状態になるので、インナーキャップ内の空気が圧縮されて増圧し、その空気が空気置換孔から筆記具軸内部のインキタンクへ入ってインキタンク内のインキを過剰に押し出し、その押し出されたインキがインキ保溜体に蓄えられるという現象が生じた。また、筆記具軸からキャップを外す場合は、逆にインナーキャップ内が減圧され、そのためインキタンクからインキが過剰に引き出されて、そのインキが同じくインキ保溜体に蓄えられるという現象が生じた。したがって、キャップの着脱毎にインキ保溜体のインキが増え続け、インキ保溜体がインキで一杯になると、溢れたインキが空気置換孔から漏れ出すという問題が生じた。
【０００４】
このような問題を解決するために、本出願人は実公平６−１７５８１号公報に開示されたようなキャップを先に開発した。このキャップはインナーキャップをコイルスプリングで支えながら軸方向に移動可能に取付けたもので、インナーキャップは筆記具軸に押されたときにコイルスプリングを圧縮しながら移動して、その内部の空気が筆記具軸によって圧縮されないようにしたものである。
【０００５】
しかしながら、コイルスプリングを使用することによって部品点数が増えるとともに組付工程も増えてコストアップになるという不満がある。
【０００６】
【発明が解決しようとする課題】
そこで本発明は、筆記具のペン先部と筆記具軸におけるペン先部近傍に設けた空気置換孔をインナーキャップでシールすることができて、かつ、キャップの着脱の際にインナーキャップの内部の空気が増圧されたり減圧されることを防止することができ、さらに、インナーキャップに組み付ける部品数を減らしてコストダウンを図ることができる筆記具のキャップを提供することを課題とする。
【０００７】
【課題を解決するための手段】
上記の課題は本発明の筆記具のキャップにより、すなわち、筆記具２のペン先部１８と、そのペン先部１８の近傍に設けた空気置換孔１４とを覆ってシールする有底のシール筒部２０を有するとともに、そのシール筒部２０の開口端外周部にフランジ２１を有して、全体が柔軟性且つ弾性を有する素材で形成され、そのフランジ２１がキャップ本体１６に当接され、又、フランジ２１におけるキャップ本体１６との当接箇所よりも径方向の中心側寄りの位置に筆記具軸３との当接部２６が設定されて、筆記具軸３によりその当接部２６が押されたときに、そのシール筒部２０が弾性変形によって筆記具軸３の押す方向へ移動可能なインナーキャップ１７をキャップ本体１６の内部に具えたことを特徴とする筆記具のキャップによって解決するとができる。
【０００８】
また、同時に、筆記具軸３または／及びキャップ本体１６の軸方向の寸法誤差を吸収するために、上記の構成に加えて、インナーキャップ１７のフランジ２１とキャップ本体１６との当接箇所に、インナーキャップ１７が筆記具軸３によって押されたときに圧縮する弾性突起２２，２８を設けることが望ましい。この弾性突起はインナーキャップ側に設けること、又はキャップ本体側に設けることが可能である。また、この弾性突起は円周上の複数箇所にそれぞれ分離して設けること、又は環状を呈するように設けることが可能である。なお、これら弾性突起２２，２８は容易に変形するように、すなわち、筆記具軸３に対する反力が弱くてキャップが筆記具から安易に外れないような形状にすることが望ましい。
【０００９】
また、更に、キャップ本体１６に対するインナーキャップ１７の組み付けを容易化するために、上記の構成に加えて、キャップ本体１６に対する掛止用鍔部３０をインナーキャップ１７におけるシール筒部２０の外周部に突設することが好ましい。
【００１０】
【実施例】
以下、図によって本発明の実施例を説明する。まず、図１〜図４は第１実施例に係るものである。図１はキャップ１を筆記具２に嵌める前の状態を示したものである。筆記具２は、軸本体４の前端（図面の上側を前側とする）に先軸５を接合して筆記具軸３を構成し、その筆記具軸３の後半部にインキを直に貯溜するインキタンク（図は省略）を設け、そのインキタンクの前方にインキ保溜体６を配設している。インキ保溜体６は外周部に多数の羽根７を有して、各羽根７の間をインキ保溜溝８としている。各インキ保溜溝８は前後方向のインキ導溝９で連通し、インキ導溝９の後端はインキタンクと連通している。インキタンクのインキが温度上昇による膨張等の原因で過剰にインキタンクから押し出されると、その過剰なインキはインキ導溝９を通ってインキ保溜溝８に吸収される。インキ保溜体６は中心部に前後方向の通孔１０を有し、その通孔１０にインキ誘導芯１１を挿通している。インキ誘導芯１１は後端部をインキタンク内に貫出させて、インキタンク内のインキを毛細管現象によって吸収することにより前方へ誘導する。インキ保溜体６の前端にはペン芯１２を取付けたチップ１３を接合し、そのチップ１３にインキ誘導芯１１の前端部を接続している。インキ誘導芯１１の前端まで誘導されたインキはチップ１３のペン芯１２に供給され、更にペン芯１２のペン先部１８まで送られて筆記可能となる。ペン先部１８の近傍の先軸５の前端位置には空気置換孔１４が開口し、その空気置換孔１４は筆記具軸３の内部へ開通し、インキ保溜体６の羽根７の一部を切欠して形成した空気流通路１５を介してインキタンクと連通している。
【００１１】
一方、キャップ１は硬質プラスチック製のキャップ本体１６と、その内部に取付けたインナーキャップ１７とにより構成されている。インナーキャップ１７は柔軟性且つ弾性を有する素材、例えばゴムや軟質プラスチックなどで成形され、図２に示すように、有底のシール筒部２０と、その開口端外周部に突設されたフランジ２１を有し、そのフランジ２１の前面における円周上の複数箇所にそれぞれ円錐台形の弾性突起２２を一体的に設けている。インナーキャップ１７は、そのシール筒部２０をキャップ本体１６の奥の穴部２３に挿入するとともに、そのフランジ２１の弾性突起２２を穴部２３の周囲の段差部２４に当接するように取付けられて、キャップ本体１６の周壁内面に設けた突起２５によってフランジ２１を掛止されている。
【００１２】
図４はインナーキャップ１７に筆記具２の先端部を挿入して、ペン先部１８と空気置換孔１４をシールした状態を示している。筆記具２の先端部をインナーキャップ１７に挿入すると、まず、ペン芯１２先端部がシール筒部２０の底に設けたヘソ部２７に当接し、次いで、筆記具軸３における先軸５の前端角部１９がインナーキャップ１７のフランジ２１に当接して、ペン先部１８と空気置換孔１４とがシールされる。先軸５の前端角部１９をフランジ２１に当接させると、その圧力でフランジ２１に設けた弾性突起２２が圧縮する。この弾性突起２２の変形が筆記具軸３または／及びキャップ本体１６の軸方向の寸法誤差を吸収する。先軸５の前端角部１９がインナーキャップ１７のフランジ２１に対して当接する箇所は、フランジ２１の弾性突起２２がキャップ本体１６の段差部２４に対して当接する箇所よりも径方向の中心側寄りに設定されていて、シール筒部２０のほぼ延長線上に位置している。すなわち、先軸５の前端角部１９とインナーキャップ１７のフランジ２１との当接部２６は、弾性突起２２がキャップ本体１６の段差部２４に当接する箇所に対しオフセットされている。これにより、フランジ２１の弾性突起２２が上記のように圧縮した後に、フランジ２１の内端部が先軸５に押されて曲げ変形することにより、シール筒部２０が更に先軸５の押す方向へ位置移動することになる。そして、キャップ本体１６の開口端近傍に設けた係合突起（図は省略）と、軸本体４に設けた係合突起（図は省略）とが係止して、筆記具２とキャップ１が固定する。すなわち、筆記具２の先端部をインナーキャップ１７によってシールする際に、上記のシール筒部２０の位置移動によってインナーキャップ１７内の空気の圧縮を回避することができる。なお、フランジ２１の弾性突起２２の圧縮は上記のように主に寸法誤差を吸収するものであるが、この弾性突起２２の圧縮によってもシール筒部２０の位置移動は生じるので、弾性突起２２の圧縮もインナーキャップ１７内の空気の圧縮防止効果を相乗的に高めることになる。
【００１３】
次に、図５及び図６は第２実施例に係るものである。この第２実施例はインナーキャップ１７のフランジ２１に設けた弾性突起２８の形状が上記の第１実施例と異なっている。すなわち、この第２実施例のインナーキャップ１７は、図５に示すように、フランジ２１に環状の弾性突起２８を設けている。このように弾性突起２８を環状にすると、キャップ本体１６の内面部には、図６に示すように、その弾性突起２８と当接するリブ２９を適宜な位置に設ければよく、そのリブ２９と弾性突起２８を位置合せする面倒がない。その他の構造及び機能は上記の第１実施例と同じである。
【００１４】
次に、図７〜図１０は第３実施例に係るものである。この第３実施例はインナーキャップ１７におけるシール筒部２０の先端外周部に、図７及び図８に示すように掛止用鍔部３０を設け、この掛止用鍔部３０を図９に示すようにキャップ本体１６の内面部に設けた凸部３１に掛止させてインナーキャップ１７を取付けるようにしたものである。上記の第１実施例や第２実施例のインナーキャップ１７をキャップ本体１６に対し組み付ける場合、上記のようにフランジ２１をキャップ本体１６の内面に設けた突起２５を乗り越えるように変形させて溝３２に嵌め込むという手段を採ることになるが、フランジ２１が柔らかいと溝３２に嵌め込みにくいという面倒がある。これに対し、この第３実施例のようにシール筒部２０の外周部に掛止用鍔部３０を設ければ、図１０に示すように、シール筒部２０に治具３３を挿入して押し込むことにより、掛止用鍔部３０が容易に凸部３１を乗り越えて掛止することができるので、キャップ本体１６に対するインナーキャップ１７の組み付けが簡単になる。その他の構造及び機能は上記の第１実施例と同じである。
【００１５】
【発明の効果】
本発明の筆記具のキャップは上記の通りであり、インナーキャップ１７によって筆記具２のペン先部１８と空気置換孔１４とをシールする際に、そのインナーキャップ１７内の空気の圧縮を回避することができる。したがって、上記のように筆記具２に具えたインキ保溜体６におけるインキの蓄積を抑えて空気置換孔１４からのインキの漏れ出しを防止することができる。そして、本発明はこのような効果をインナーキャップ１７の機能だけによって得ることができるので、部品点数や組付工程が増えてコストアップを招く弊害がない。また、請求項２記載のように弾性突起２２，２８を設けることによって、筆記具軸３やキャップ本体１６の寸法上の誤差を吸収できるという利点も得られる。また、請求項３記載のように弾性突起２８を環状にすることにより、キャップ本体１６に対する弾性突起２８の位置合せが不要になるという利点が得られる。更に、請求項４記載のように、インナーキャップ１７のシール筒部２０の外周部に掛止用鍔部３０を設けることによって、キャップ本体１６に対するインナーキャップ１７の組み付けが容易化するという利点も得られる。
【図面の簡単な説明】
【図１】キャップを筆記具に嵌める前の状態を示す断面図である。
【図２】インナーキャップの斜視図である。
【図３】インナーキャップが筆記具先端部をシールする前の状態を示す一部拡大断面図である。
【図４】インナーキャップが筆記具先端部をシールした後の状態を示す一部拡大断面図である。
【図５】インナーキャップの斜視図である。
【図６】キャップの断面図である。
【図７】インナーキャップの斜視図である。
【図８】インナーキャップの断面図である。
【図９】キャップの断面図である。
【図１０】インナーキャップをキャップ本体に組み付ける状態を示す断面図である。
【符号の説明】
１  キャップ
２  筆記具
３  筆記具軸
４  軸本体
５  先軸
６  インキ保溜体
７  羽根
８  インキ保溜溝
９  インキ導溝
１０  通孔
１１  インキ誘導芯
１２  ペン芯
１３  チップ
１４  空気置換孔
１５  空気流通路
１６  キャップ本体
１７  インナーキャップ
１８  ペン先部
１９  先軸の前端角部
２０  シール筒部
２１  フランジ
２２  弾性突起
２３  穴部
２４  段差部
２５  突起
２６  当接部
２７  ヘソ部
２８  弾性突起
２９  リブ
３０  掛止用鍔部
３１  凸部
３２  溝
３３  治具
【図１】
0003853469.tif 000002
【図２】
0003853469.tif 000003
【図３】
0003853469.tif 000004
【図４】
0003853469.tif 000005
【図５】
0003853469.tif 000006
【図６】
0003853469.tif 000007
【図７】
0003853469.tif 000008
【図８】
0003853469.tif 000009
【図９】
0003853469.tif 000010
【図１０】
0003853469.tif 000011